(57)【特許請求の範囲】
【請求項１】
吐水孔を有し、前記吐水孔から洗浄水を噴射して女性局部に着水させるノズルを備え、
前記ノズルは、
前記吐水孔から円錐状に拡散するように前記洗浄水を噴射して前記女性局部の所定の領域に着水させる吐水手段と、
前記所定の領域を前後方向に往復移動させることにより前記所定の領域よりも拡大された領域であって前記洗浄水が着水可能な着水領域を形成する洗浄領域前後拡大手段と、
を有し、
前記洗浄領域前後拡大手段は、前記所定の領域が前後方向に往復移動する間常に前記洗浄水が着水する常時着水領域を前記着水領域の中央部に形成することを特徴とする衛生洗浄装置。
【請求項２】
前記洗浄領域前後拡大手段は、前記着水領域の前端および後端に前記所定の領域が到達すると、前記往復移動を所定時間静止させることを特徴とする請求項１記載の衛生洗浄装置。
【請求項３】
前記洗浄領域前後拡大手段は、前記着水領域の前端領域である着水前端領域および前記着水領域の後端領域である着水後端領域を前記所定の領域が移動するときの前記所定の領域の移動速度を、前記着水領域の中央部を前記所定の領域が移動するときの前記所定の領域の移動速度よりも遅くすることを特徴とする請求項１記載の衛生洗浄装置。
【請求項４】
前記洗浄領域前後拡大手段は、
前記吐水手段を前記前後方向に移動させるノズル駆動部と、
前記ノズル駆動部を制御することにより前記吐水手段を前記前後方向に往復移動させる制御部と、
を有し、
前記制御部は、前記着水前端領域および前記着水後端領域を前記所定の領域が移動するときの前記吐水手段の移動速度を、前記着水領域の中央部を前記所定の領域が移動するときの前記吐水手段の移動速度よりも遅くさせる制御を実行することを特徴とする請求項３記載の衛生洗浄装置。
【請求項５】
前記洗浄領域前後拡大手段は、前記着水領域の前端領域である着水前端領域および前記着水領域の後端領域である着水後端領域に前記所定の領域が移動するたびに、前記着水前端領域および着水後端領域の範囲において前記所定の領域を前後方向に複数回往復移動させることを特徴とする請求項１記載の衛生洗浄装置。
【請求項６】
前記洗浄領域前後拡大手段は、前記着水領域の前端および後端に前記所定の領域が到達すると、前記所定の領域が前記着水領域の中央部を移動するときよりも多い流量の洗浄水を前記吐水孔から噴射させることを特徴とする請求項１記載の衛生洗浄装置。
【請求項７】
前記洗浄領域前後拡大手段は、前記着水領域の前端および後端に前記所定の領域が到達すると、前記所定の領域が前記着水領域の中央部を移動するときよりも速い流速の洗浄水を前記吐水孔から噴射させることを特徴とする請求項１記載の衛生洗浄装置。
【発明の詳細な説明】
【技術分野】
【０００１】
本発明の態様は、一般的に、衛生洗浄装置に関し、具体的には洋式腰掛便器に腰掛けた使用者の女性局部を水で洗浄する衛生洗浄装置に関する。
【背景技術】
【０００２】
人体の洗浄を行う人体洗浄装置として、ノズル往復動と擬似円錐状吐水形態の洗浄水吐水との同時実行により、擬似円錐状吐水形態での洗浄水吐水がノズル移動に伴って前後に移動する人体洗浄装置がある（特許文献１）。特許文献１に記載された人体洗浄装置によれば、ノズル前後往復範囲に亘って擬似円錐状吐水形態の洗浄水吐水が連なったようにして、例えば女性局部などのムーブ洗浄が行われる。この結果、極めて広範囲に亘り女性局部などが洗浄されているという新たな洗浄感を創出することができ、使用者にこの新たな洗浄感を与えることができる。
【０００３】
しかしながら、特許文献１に記載された人体洗浄装置では、疑似円錐状吐水形態の洗浄水吐水が着水する範囲は、比較的狭い。そのため、ムーブ洗浄の間常に洗浄水が着水する領域は、形成されない。そのため、ムーブ洗浄の際に、ノズル前後往復範囲（ムーブ範囲）の中心付近においては、吐水された洗浄水は、女性局部の中心部（膣口）に着水する。一方、ムーブ範囲の前後端部付近においては、吐水された洗浄水は、女性局部の中心部から外れて着水する。つまり、女性局部の中心部には着水しない。そのため、経血汚れが固着していない膣口の上を洗浄水が行き来する場合がある。この場合には、洗浄水が膣口を通過する際に、膣口付近において固着していない経血汚れが、洗浄水の通過に伴って飛び散ることがあり得る。このようにして飛び散った経血汚れは、使用者の身体や、衛生洗浄装置、便器のボウル面などに付着することとなる。
【先行技術文献】
【特許文献】
【０００４】
【特許文献１】特開２０００−２８２５４５号公報
【発明の概要】
【発明が解決しようとする課題】
【０００５】
本発明は、かかる課題の認識に基づいてなされたものであり、洗浄水が着水する領域を前後方向に往復移動させ洗浄領域を拡大させるビデ洗浄の際に、汚れが飛び散ることを防止することができる衛生洗浄装置を提供することを目的とする。
【課題を解決するための手段】
【０００６】
第１の発明は、吐水孔を有し、前記吐水孔から洗浄水を噴射して女性局部に着水させるノズルを備え、前記ノズルは、前記吐水孔から円錐状に拡散するように前記洗浄水を噴射して前記女性局部の所定の領域に着水させる吐水手段と、前記所定の領域を前後方向に往復移動させることにより前記所定の領域よりも拡大された領域であって前記洗浄水が着水可能な着水領域を形成する洗浄領域前後拡大手段と、を有し、前記洗浄領域前後拡大手段は、前記所定の領域が前後方向に往復移動する間常に前記洗浄水が着水する常時着水領域を前記着水領域の中央部に形成することを特徴とする衛生洗浄装置である。
【０００７】
この衛生洗浄装置によれば、洗浄水を円錐状に拡散させつつ、吐水孔から噴射された洗浄水の所定の領域を前後方向に往復移動させ拡大させて、従来よりも前後の広範囲に洗浄水を着水させるワイドムーブビデ洗浄を実行できる。さらに、着水領域の中央部には、所定の領域が前後方向に往復移動する間常に洗浄水が着水する常時着水領域が形成される。そのため、ワイドムーブビデ洗浄の際に、女性局部の膣口付近において固着していない状態の経血汚れが飛び散ることを防止することができる。また、ワイドムーブビデ洗浄の間、膣口付近には洗浄水が常に着水する常時着水領域が形成されているため、なぞられたような感覚を与えるおそれは少ない。これにより、快適なビデ洗浄を行うことができる。
【０００８】
また、第２の発明は、第１の発明において、前記洗浄領域前後拡大手段は、前記着水領域の前端および後端に前記所定の領域が到達すると、前記往復移動を所定時間静止させることを特徴とする衛生洗浄装置である。
【０００９】
この衛生洗浄装置によれば、洗浄水の所定の領域を前後方向に往復移動させて拡大させる際に、着水領域の前端部および後端部に洗浄水を所定時間着水させることができる。そのため、着水領域の前端部および後端部に、より多い流量の洗浄水を着水させることができる。これにより、常時着水領域の前後方向に位置する前端部および後端部も洗浄していることを使用者に実感させることができる。また、満足度のより高いワイドムーブビデ洗浄を行うことができる。
【００１０】
また、第３の発明は、第１の発明において、前記洗浄領域前後拡大手段は、前記着水領域の前端領域である着水前端領域および前記着水領域の後端領域である着水後端領域を前記所定の領域が移動するときの前記所定の領域の移動速度を、前記着水領域の中央部を前記所定の領域が移動するときの前記所定の領域の移動速度よりも遅くすることを特徴とする衛生洗浄装置である。
【００１１】
この衛生洗浄装置によれば、洗浄水の所定の領域を前後方向に往復移動させて拡大させる際に、着水領域の着水前端領域および着水後端領域に、所定の領域の移動速度を変化させない場合よりも長い時間洗浄水を着水させることができる。あるいは、着水領域の着水前端領域および着水後端領域に、所定の領域の移動速度を変化させない場合よりも多い流量の洗浄水を着水させることができる。これにより、常時着水領域の前後方向に位置する着水前端領域および着水後端領域も洗浄していることを使用者に実感させることができる。また、満足度のより高いワイドムーブビデ洗浄を行うことができる。
【００１２】
また、第４の発明は、第３の発明において、前記洗浄領域前後拡大手段は、前記吐水手段を前記前後方向に移動させるノズル駆動部と、前記ノズル駆動部を制御することにより前記吐水手段を前記前後方向に往復移動させる制御部と、を有し、前記制御部は、前記着水前端領域および前記着水後端領域を前記所定の領域が移動するときの前記吐水手段の移動速度を、前記着水領域の中央部を前記所定の領域が移動するときの前記吐水手段の移動速度よりも遅くさせる制御を実行することを特徴とする衛生洗浄装置である。
【００１３】
この衛生洗浄装置によれば、吐水手段の移動速度を変化させるという比較的簡単な制御により、着水領域の着水前端領域および着水後端領域に、吐水手段の移動速度を変化させない場合よりも長い時間洗浄水を着水させることができる。
【００１４】
また、第５の発明は、第１の発明において、前記洗浄領域前後拡大手段は、前記着水領域の前端領域である着水前端領域および前記着水領域の後端領域である着水後端領域に前記所定の領域が移動するたびに、前記着水前端領域および着水後端領域の範囲において前記所定の領域を前後方向に複数回往復移動させることを特徴とする衛生洗浄装置である。
【００１５】
この衛生洗浄装置によれば、着水前端領域および着水後端領域に所定の領域が移動するたびに、着水前端領域および着水後端領域の範囲において所定の領域を前後方向に複数回往復移動させる。そのため、着水前端領域および着水後端領域の範囲において、所定の領域を複数回往復移動させない場合よりも多い流量の洗浄水を着水させることができる。あるいは、洗浄水の所定の領域を前後方向に往復移動させて拡大させる際に、着水前端領域および着水後端領域の範囲において、吐水手段を複数回往復移動させない場合よりも長い時間洗浄水を着水させることができる。これにより、常時着水領域の前後方向に位置する着水前端領域および着水後端領域も洗浄していることを使用者に実感させることができる。また、満足度のより高いワイドムーブビデ洗浄を行うことができる。
【００１６】
また、第６の発明は、第１の発明において、前記洗浄領域前後拡大手段は、前記着水領域の前端および後端に前記所定の領域が到達すると、前記所定の領域が前記着水領域の中央部を移動するときよりも多い流量の洗浄水を前記吐水孔から噴射させることを特徴とする衛生洗浄装置である。
【００１７】
この衛生洗浄装置によれば、着水領域の前端部および後端部に、噴射される洗浄水の流量を変化させない場合よりも多い流量の洗浄水を着水させることができる。あるいは、洗浄水の所定の領域を前後方向に往復移動させて拡大させる際に、着水領域の前端部および後端部に、噴射される洗浄水の流量を変化させない場合よりも長い時間洗浄水を着水させることができる。これにより、常時着水領域の前後方向に位置する前端部および後端部も洗浄していることを使用者に実感させることができる。また、満足度のより高いワイドムーブビデ洗浄を行うことができる。
【００１８】
また、第７の発明は、第１の発明において、前記洗浄領域前後拡大手段は、前記着水領域の前端および後端に前記所定の領域が到達すると、前記所定の領域が前記着水領域の中央部を移動するときよりも速い流速の洗浄水を前記吐水孔から噴射させることを特徴とする衛生洗浄装置である。
【００１９】
この衛生洗浄装置によれば、着水領域の前端部および後端部に、噴射される洗浄水の流速を変化させない場合よりも速い流量の洗浄水を着水させることができる。あるいは、洗浄水の所定の領域を前後方向に往復移動させて拡大させる際に、着水領域の前端部および後端部に、噴射される洗浄水の流速を変化させない場合よりも長い時間洗浄水を着水させることができる。これにより、常時着水領域の前後方向に位置する前端部および後端部も洗浄していることを使用者に実感させることができる。また、満足度のより高いワイドムーブビデ洗浄を行うことができる。
【発明の効果】
【００２０】
本発明の態様によれば、洗浄水が着水する領域を前後方向に往復移動させ洗浄領域を拡大させるビデ洗浄の際に、汚れが飛び散ることを防止することができる衛生洗浄装置が提供される。
【図面の簡単な説明】
【００２１】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態の洗浄水が着水する領域を表す平面模式図である。
【図４】ワイド吐水を説明するための断面模式図である。
【図５】ノズルの吐水孔の軌跡の具体例を表すグラフ図である。
【図６】所定の領域および着水流量の表記方法を説明する概念模式図である。
【図７】比較例の所定の領域と着水流量との関係を表す概念模式図である。
【図８】本具体例の所定の領域と着水流量との関係を表す概念模式図である。
【図９】ノズルの吐水孔の軌跡の他の具体例を表すグラフ図である。
【図１０】本具体例の所定の領域と着水流量との関係を表す概念模式図である。
【図１１】ノズルの吐水孔の軌跡のさらに他の具体例を表すグラフ図である。
【図１２】ノズルの吐水孔の軌跡のさらに他の具体例を表すグラフ図である。
【図１３】流量の具体例を例示するグラフ図である。
【図１４】流速の具体例を例示するグラフ図である。
【図１５】本実施形態のノズルの具体例を例示する斜視模式図である。
【図１６】本具体例のノズルを上方から眺めた上面模式図である。
【図１７】図１６に表した切断面Ｂ−Ｂにおける断面模式図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。
【００２３】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２４】
ケーシング４００の内部には、便座２００に座った使用者の女性局部の洗浄を実現する局部洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えば図示しないリモコンなどの操作部を操作すると、ノズル４１０を便器８００のボウル８０１内に進出させることができる。なお、図１に表した衛生洗浄装置１００では、ノズル４１０がボウル８０１内に進出した状態を表している。
【００２５】
ノズル４１０の先端部には、ひとつあるいは複数の吐水孔４１１が設けられている。そして、ノズル４１０は、その先端部に設けられた吐水孔４１１から水を噴射して、便座２００に座った使用者の女性局部を洗浄することができる。例えば、図１に表したノズル４１０では、ふたつの吐水孔４１１のうちの一方の吐水孔４１１は、ビデ洗浄用の吐水孔であり、他方の吐水孔４１１は、おしり洗浄用の吐水孔である。なお、本願明細書において「水」という場合には、冷水のみならず、加熱されたお湯も含むものとする。
【００２６】
図２は、本実施形態にかかる衛生洗浄装置の要部構成を表すブロック図である。  
なお、図２は、水路系と電気系の要部構成を併せて表している。  
本実施形態にかかる衛生洗浄装置１００は、水道や貯水タンクなどの図示しない給水源から供給された水を導く流路１０を有する。流路１０の上流側には、電磁弁４４０が設けられている。電磁弁４４０は、開閉可能な電磁バルブであり、ケーシング４００の内部に設けられた制御部４０５からの指令に基づいて、熱交換器４５０への水の供給を制御する。
【００２７】
電磁弁４４０の下流側には、熱交換器４５０が設けられている。熱交換器４５０は、供給された水を加熱し所定の温水にする。なお、熱交換器４５０は、例えば、シーズヒータなどを用いた瞬間加熱式熱交換器でもよいし、貯湯タンクを用いた貯湯加熱式熱交換器でもよい。  
熱交換器４５０の下流側には、圧力変調装置４７０が設けられている。この圧力変調装置４７０は、流路１０内の水の流れに脈動を与え、ノズル４１０の吐水孔４１１から噴射される水に脈動を与えることができる。
【００２８】
圧力変調装置４７０の下流側には、ノズル４１０が設けられている。ノズル４１０は、水勢（流量）の調整を行う流量調整弁４８０と、吐水孔４１１から洗浄水を噴射し女性局部の所定の領域に着水させるノズル本体（吐水手段）４２０と、制御部（洗浄領域前後拡大手段）４０５からの指令に基づいてノズル４１０を進退させるノズル駆動部（洗浄領域前後拡大手段）４６０と、を有する。
【００２９】
ノズル本体４２０は、ノズル駆動部４６０からの駆動力を受け、便器８００のボウル８０１内に進出したり後退することができる。そして、ノズル本体４２０は、ボウル８０１内に進出した状態で吐水孔４１１から円錐状に拡散するように洗浄水を噴射することができる。これについては、後に詳述する。  
ノズル駆動部４６０は、ノズル本体４２０を前後方向（図１参照）に往復移動させることにより、ノズル本体４２０から噴射された洗浄水が着水する所定の領域を前後方向に往復移動させることができる。これにより、ノズル駆動部４６０は、ノズル本体４２０から噴射された洗浄水が着水可能な着水領域を前後方向に拡大させることができる（ムーブ洗浄）。  
流量調整弁４８０は、水勢の調整を行うことができるとともに、ノズル４１０への給水の開閉や切替を行うことができる。
【００３０】
なお、所定の領域を前後方向に往復移動させる方法は、ノズル本体４２０を前後方向に往復移動させることに限定されるわけではない。例えば、ノズル本体４２０から噴射させる洗浄水の吐水角度を変えることにより、所定の領域を前後方向に往復移動させてもよい。
【００３１】
図３は、本実施形態の洗浄水が着水する領域を表す平面模式図である。  
なお、図３（ａ）は、静止したノズル本体から噴射された洗浄水が着水する所定の領域を表す平面模式図であり、図３（ｂ）は、前後方向に往復移動するノズル本体から噴射された洗浄水が着水可能な着水領域を表す平面模式図である。
【００３２】
本実施形態のノズル本体４２０から噴射された洗浄水は、図３（ａ）に表したように、便座２００に座った使用者の女性局部のより広い範囲に着水する（ワイド洗浄）。ノズル本体４２０から噴射された洗浄水は、女性局部への着水時には約３０〜４５ｍｍ程度の広がりを有している。そして、ノズル本体４２０から噴射された洗浄水は、女性局部に対して後方側の斜め下方から女性局部に着水する。そのため、ノズル本体４２０から噴射された洗浄水が着水する所定の領域５４０の左右方向の寸法Ｄ１は、例えば約３０〜４５ｍｍ（ミリメートル）程度である。また、所定の領域５４０の前後方向の寸法Ｄ２は、例えば約７０〜１３０ｍｍ程度である。  
本実施形態のノズル駆動部４６０は、図３（ａ）に表した矢印Ａ４、Ａ５のように、所定の領域５４０を前後方向に往復移動させることができる。これにより、ノズル駆動部４６０は、図３（ｂ）に表したように、ノズル本体４２０から噴射された洗浄水が着水可能な着水領域５５０を、所定の領域５４０よりも前後方向に拡大させることができる。
【００３３】
このとき、着水領域５５０の中央部には、所定の領域５４０が前後方向に往復移動する間常に洗浄水が着水する常時着水領域５５１が存在する。  
ここで、本願明細書において「常に洗浄水が着水する」という範囲には、水が連続的に常時着水する場合だけではなく、例えば水粒などの着水が所定の時間的間隔を置いて続く場合が含まれるものとする。言い換えれば、本願明細書において「常に洗浄水が着水する」とは、常に着水範囲にあることを意味するものとする。
【００３４】
また、常時着水領域５５１の前後方向に位置する部分には、ノズル本体４２０から噴射された洗浄水の着水する時間が、全体の吐水時間の約５０〜９９％程度である着水中間領域５５３、５５４が存在する。さらに、着水中間領域５５３、５５４の前後方向に位置する部分には、ノズル本体４２０から噴射された洗浄水の着水する時間が着水中間領域５５３、５５４における時間よりも短い着水前端領域５５７および着水後端領域５５８が存在する。つまり、図３に表した着水前端領域５５７は、着水領域５５０の前端領域における着水領域である。また、図３に表した着水後端領域５５８は、着水領域５５０の後端領域における着水領域である。
【００３５】
ノズル本体４２０から噴射された洗浄水は、女性局部への着水時には左右方向で約３０〜４５ｍｍ程度、前後方向で約７０〜１３０ｍｍ程度という従来にはない広がりを有する。そのため、ムーブ洗浄における所定の領域５４０の前後移動の幅も小さくすることができる。そのため、このような常時着水領域５５１が形成される。
【００３６】
図３に表したように、着水領域５５０の中央部に、洗浄水が常に着水する常時着水領域５５１を設けることにより、ワイドムーブビデ洗浄の際に、女性局部の膣口付近において固着していない状態の経血汚れが飛び散ることを防止することができる。また、ムーブ洗浄の間常に、膣口付近には洗浄水が着水する常時着水領域５５１が存在するため、なぞられたような感覚を与えるおそれは少ない。これにより、快適なビデ洗浄を行うことができる。
【００３７】
ここで、ワイド吐水（ワイド洗浄）について、図面を参照しつつ説明する。  
図４は、ワイド吐水を説明するための断面模式図である。
【００３８】
本実施形態のノズル４１０は、ノズル本体４２０と、スロート４３０と、を有する。ノズル本体４２０の内部には、図示しない水源から供給された洗浄水が通過するワイド吐水用流路４２７と、旋回流を生成可能な旋回室４２３と、旋回室４２３からの洗浄水をスロート４３０へ導く連通路４２５と、が設けられている。また、旋回室４２３の中央部には、より安定した旋回力の旋回流を生成する突設部４２４が設けられている。
【００３９】
旋回室４２３は、底部においてより大きな径を有する大径部内周壁４２３ｅと、連通路４２５へ向かうにつれて収縮した径を有する傾斜内周壁４２３ｆと、により形成され、中空室とされている。そして、傾斜内周壁４２３ｆは、その一端において連通路４２５に接続されている。一方、ワイド吐水用流路４２７は、旋回室４２３に偏心して接続されている。より具体的には、ワイド吐水用流路４２７は、旋回室４２３の大径部内周壁４２３ｅの接線方向に接続されている。
【００４０】
スロート４３０の内部には、ノズル本体４２０の連通路４２５から噴射された洗浄水が通過するスロート流路４３１が設けられている。そして、スロート流路４３１の一端には、スロート流路４３１を通過した洗浄水をスロート４３０の外部へ吐水する吐水孔４３３が形成されている。つまり、図４に表したノズル４１０のように、ノズル４１０がスロート４３０を有する場合には、スロート４３０に設けられた吐水孔４３３が図１に表した吐水孔４１１として機能する。吐水孔４３３の近傍のスロート流路４３１には、吐水孔４３３へ向かうにつれて流路が拡大するテーパ部４３２が形成されている。
【００４１】
なお、本実施形態のノズル４１０では、ノズル本体４２０とスロート４３０との間に隙間が設けられているが、この隙間は必ずしも設けられていなくともよい。すなわち、ノズル本体４２０とスロート４３０とが一体的に形成され、連通路４２５とスロート流路４３１とが接続されていてもよい。
【００４２】
図示しない水源から供給される洗浄水は、ワイド吐水用流路４２７を通過してノズル４１０へ供給され、旋回室４２３へ流入する。ここで、ワイド吐水用流路４２７は、旋回室４２３の大径部内周壁４２３ｅの接線方向に接続されているため、旋回室４２３へ流入した洗浄水は、図４に表した矢印Ａ３のように、大径部内周壁４２３ｅおよび傾斜内周壁４２３ｆに沿って旋回する。そして、旋回室４２３において旋回した洗浄水は、旋回力を維持しつつ連通路４２５を通過し、スロート４３０のスロート流路４３１内へ噴射される。このとき、ノズル本体４２０から噴射された洗浄水は、旋回力を維持しているため、中央部に中空部分を有する液膜として中空円錐状に噴射される。以下、説明の便宜上、このように中空円錐状に噴射された洗浄水を「中空円錐状吐水」と称する。
【００４３】
そして、スロート流路４３１に流入した洗浄水は、旋回力を維持しつつスロート流路４３１の内壁に沿って流れ、吐水孔４３３へ導かれる。すなわち、スロート流路４３１を通過する洗浄水は、スロート流路４３１の内壁に付着するように流れる。そのため、スロート流路４３１を流れる洗浄水は、スロート流路４３１の内壁から摩擦力による抵抗を受け、その洗浄水の流速は、吐水孔４３３へ向かうにつれて小さくなる。これにより、図４に表したように、吐水孔４３３の近傍の液膜の厚さは、ノズル本体４２０から噴射されたときの液膜の厚さ、あるいはスロート流路４３１に流入した直後の液膜の厚さよりも厚い。
【００４４】
さらに、スロート流路４３１を流れる洗浄水の流速は、スロート流路４３１の内壁の近傍すなわち境界層よりもスロート流路４３１の中心部の方が速い。そのため、スロート流路４３１を流れる洗浄水の内部には、図４に表した矢印Ａ１のように、液膜を横断する方向に渦流が発生する。また、吐水孔４３３の近傍におけるスロート流路４３１には、吐水孔４３３へ向かうにつれて流路が拡大するテーパ部４３２が形成されているため、吐水孔４３３から噴射される洗浄水は、テーパ部４３２に沿って流れる。そのため、吐水孔４３３から噴射される洗浄水の内部には、液膜を横断する方向に渦流がより発生しやすい。
【００４５】
そうすると、吐水孔４３３から噴射された洗浄水は、中央部に中空部分を有する液膜として、すなわち中空円錐状吐水５１０として噴射されるが、吐水孔４３３からある程度離間した位置において粒化された水流（以下、説明の便宜上、「粒化水流」と称する）５２０へ遷移する。より具体的には、吐水孔４３３から噴射された中空円錐状吐水５１０の内部には、液膜を横断する方向に渦流が発生しているため、吐水孔４３３からある程度離間した位置において、隣接する渦流同士の間に亀裂が生ずる。そうすると、吐水孔４３３から噴射された中空円錐状吐水５１０は、図４に表したように、吐水孔４３３からある程度離間した位置において破砕される。このようにして、吐水孔４３３から噴射された中空円錐状吐水５１０は、粒化水流５２０へ遷移する。そして、中空円錐状吐水５１０が拡散する領域の内側には、粒化水流５２０が万遍なく行き渡る。そのため、便座２００に座った使用者の女性局部のより広い範囲に洗浄水を着水させることができ、所望の広い範囲を一度にさっと洗浄することができる。
【００４６】
ここで、女性の生理時には、しばらくの間、経血が膣口から出続ける場合がある。この場合、ノズル本体４２０から噴射された洗浄水が膣口付近に着水し続ければ、経血は洗浄水と共に流れる。しかしながら、ムーブ洗浄の際に、ノズル本体４２０から噴射された洗浄水が膣口付近から外れて着水すると、経血が膣口付近に溜まり付着する。続いて、ノズル本体４２０から噴射された洗浄水が移動し、経血汚れが固着していない膣口付近に再び着水すると、洗浄水の通過に伴い経血汚れが飛び散る場合がある。
【００４７】
これに対して、本実施形態にかかる衛生洗浄装置１００は、洗浄水を円錐状に拡散させつつ、ノズル本体４２０から噴射された洗浄水の所定の領域５４０を前後方向に往復移動させ拡大させて、従来よりも前後の広範囲に洗浄水を着水させるワイドムーブ洗浄を実行できる。さらに、図３に関して前述したように、着水領域５５０の中央部には、所定の領域５４０が前後方向に往復移動する間常に洗浄水が着水する常時着水領域５５１が存在する。そのため、ワイドムーブビデ洗浄の際に、女性局部の膣口付近において固着していない状態の経血汚れが飛び散ることを防止することができる。また、ワイドムーブビデ洗浄の間、膣口付近には洗浄水が常に着水する常時着水領域５５１が存在するため、なぞられたような感覚を与えるおそれは少ない。これにより、快適なビデ洗浄を行うことができる。
【００４８】
次に、本実施形態のノズル４１０の動作の具体例について、図面を参照しつつ説明する。  
図５は、ノズルの吐水孔の軌跡の具体例を表すグラフ図である。
【００４９】
本具体例では、着水領域５５０の前端および後端に洗浄水の所定の領域５４０が到達すると、洗浄水の所定の領域５４０の前後方向への往復移動が所定時間静止する。具体的には、例えば図５に表したグラフ図のように、ノズル本体４２０あるいは吐水孔４１１が移動範囲の前端および後端に到達すると、ノズル駆動部４６０は、制御部４０５からの指令に基づいてノズル本体４２０の前後方向への往復移動を静止させる。
【００５０】
本具体例によれば、洗浄水の所定の領域５４０を前後方向に往復移動させて拡大させる際に、着水領域５５０の着水前端領域５５７および着水後端領域５５８に洗浄水を所定時間着水させることができる。そのため、着水領域５５０の着水前端領域５５７および着水後端領域５５８に、より多い流量の洗浄水を着水させることができる。これにより、常時着水領域５５１の前後方向に位置する着水前端領域５５７および着水後端領域５５８も洗浄していることを使用者に実感させることができる。また、満足度のより高いワイドムーブビデ洗浄を行うことができる。
【００５１】
本具体例について、図面を参照しつつさらに説明する。  
図６は、所定の領域および着水流量の表記方法を説明する概念模式図である。  
また、図７は、比較例の所定の領域と着水流量との関係を表す概念模式図である。  
また、図８は、本具体例の所定の領域と着水流量との関係を表す概念模式図である。
【００５２】
まず、図６を参照しつつ、所定の領域および着水流量の表記方法について説明する。  
図６（ａ）の上段の図は、ノズル本体４２０から噴射された洗浄水の所定の領域５４０を平面的に表している。図６（ａ）の下段の図は、上段の図に表した所定の領域５４０のＡ−Ａ断面における着水流量（着水水量）を表している。つまり、着水流量は、図６（ａ）の下段の図において高さ方向（同図の上下方向）の幅として表されている。これは、図６（ｂ）および図６（ｃ）に表した概念模式図においても同様である。  
なお、本願明細書において「着水流量（着水水量）」とは、例えば女性局部などの所定領域において単位時間あたりに着水する水量をいうものとする。
【００５３】
図６（ａ）に表したように、着水領域５５０の後端に到達した際の所定の領域５４１における着水流量は、着水流量５７１として表されている。図６（ｂ）に表したように、着水領域５５０の中央部に到達した際の所定の領域５４３における着水流量は、着水流量５７３として表されている。図６（ｃ）に表したように、着水領域５５０の前端に到達した際の所定の領域５４５における着水流量は、着水流量５７５として表されている。
【００５４】
図６（ｂ）の下段の図では、説明の便宜上、所定の領域５４１、５４３におけるそれぞれの着水流量５７１、５７３は、重ね合わせることなく積層させて表されている。図６（ｃ）の下段の図では、説明の便宜上、所定の領域５４１、５４３、５４５におけるそれぞれの着水流量５７１、５７３、５７５は、重ね合わせることなく積層させて表されている。
【００５５】
図７は、図６に関して前述した表記方法に基づき、比較例の所定の領域と着水流量との関係を表している。つまり、図７（ａ）および図７（ｂ）の上段の図は、ノズル本体４２０から噴射された洗浄水の所定の領域５４０を平面的に表している。また、図７（ａ）および図７（ｂ）の中段の図は、上段の図に表した所定の領域５４０のＡ−Ａ断面における着水流量を表している。また、図７（ａ）および図７（ｂ）の下段の図は、上段の図に表した所定の領域５４０のＡ−Ａ断面における着水流量の積分量を表している。  
なお、図７（ａ）は、洗浄水の所定の領域５４０の前後方向への往復移動が、着水領域５５０の前端から開始した場合を表しており、図７（ｂ）は、洗浄水の所定の領域５４０の前後方向への往復移動が、着水領域５５０の中心から開始した場合を表している。また、図７（ａ）および図７（ｂ）では、説明および表記方法の便宜上、着水流量および着水流量の積分量を段階的に表しているが、洗浄水の所定の領域５４０が断続的に往復移動することを表しているわけではない。
【００５６】
本比較例では、洗浄水の所定の領域５４０の前後方向への往復移動は、静止することなく一定の移動速度を有する。これによれば、図７（ａ）および図７（ｂ）の下段の図に表したように、常時着水領域５５１における着水流量の積分量５８１が最も多い。そして、着水領域５５０の着水前端領域５５７および着水後端領域５５８に向かうにつれて、着水流量の積分量は、徐々に減少する。本比較例では、着水前端領域５５７および着水後端領域５５８における着水流量の積分量５８７、５８８がより少ないため、使用者が、着水前端領域５５７および着水後端領域５５８を洗浄されていることを実感できない場合がある。
【００５７】
これに対して、本具体例では、図５に関して前述したように、着水領域５５０の前端および後端に洗浄水の所定の領域５４０が到達すると、洗浄水の所定の領域５４０の前後方向への往復移動が所定時間静止する。そのため、図８に表したように、着水領域５５０の後端および前端に到達した際の所定の領域５４０におけるそれぞれの着水流量５７１、５７５は、着水領域５５０の中央部に到達した際の所定の領域５４０における着水流量５７３よりも多い。なお、図８における表記方法は、図６および図７に関して前述した如くである。
【００５８】
そのため、図８に表した着水流量の積分量と、図７に表した着水流量の積分量と、を比較すると、本具体例の着水前端領域５５７および着水後端領域５５８における着水流量の積分量５８７、５８８は、比較例のそれよりも多い。つまり、本具体例では、着水領域５５０の着水前端領域５５７および着水後端領域５５８に、比較例の場合よりも多い流量の洗浄水を着水させることができる。これにより、着水前端領域５５７および着水後端領域５５８を洗浄していることを使用者に実感させることができる。また、満足度のより高いワイドムーブビデ洗浄を行うことができる。
【００５９】
図９は、ノズルの吐水孔の軌跡の他の具体例を表すグラフ図である。  
図１０は、本具体例の所定の領域と着水流量との関係を表す概念模式図である。  
なお、図９（ａ）は、ノズル本体４２０の移動速度を所定位置において変化させる場合を例示しており、図９（ｂ）は、ノズル本体４２０の移動速度を連続的に変化させる場合を例示している。
【００６０】
本具体例では、着水領域５５０の着水前端領域５５７および着水後端領域５５８を洗浄水の所定の領域５４０が移動するときの移動速度は、着水領域５５０の中央部を移動するときの移動速度よりも遅い。具体的には、例えば図９（ａ）に表したグラフ図のように、ノズル駆動部４６０は、制御部４０５からの指令に基づいてノズル本体４２０の往復移動の速度を制御し、吐水孔４１１から噴射された洗浄水が着水前端領域５５７および着水後端領域５５８に着水するときのノズル本体４２０の移動速度を、着水領域５５０の中央部を移動するときの移動速度よりも遅くする。
【００６１】
図９（ａ）に表したグラフ図の具体例では、ノズル駆動部４６０は、ノズル本体４２０の移動速度を移動中の所定位置において変化させている。ただし、これだけに限定されず、ノズル駆動部４６０は、図９（ｂ）に表したように、ノズル本体４２０の移動速度を連続的に変化させてもよい。
【００６２】
本具体例によれば、図１０に表したように、着水領域５５０の後端および前端に到達した際の所定の領域５４０におけるそれぞれの着水流量５７１、５７５は、着水領域５５０の中央部に到達した際の所定の領域５４０における着水流量５７３よりも多い。なお、図１０における表記方法は、図６および図７に関して前述した如くである。
【００６３】
そのため、図１０に表した着水流量の積分量と、図７に表した着水流量の積分量と、を比較すると、本具体例の着水前端領域５５７および着水後端領域５５８における着水流量の積分量５８７、５８８は、比較例のそれよりも多い。つまり、本具体例では、着水領域５５０の着水前端領域５５７および着水後端領域５５８に、比較例の場合よりも多い流量の洗浄水を着水させることができる。あるいは、洗浄水の所定の領域５４０を前後方向に往復移動させて拡大させる際に、着水領域５５０の着水前端領域５５７および着水後端領域５５８に、ノズル本体４２０が一定速度で移動する場合よりも長い時間洗浄水を着水させることができる。
【００６４】
これにより、常時着水領域５５１の前後方向に位置する着水前端領域５５７および着水後端領域５５８も洗浄していることを使用者に実感させることができる。また、満足度のより高いワイドムーブビデ洗浄を行うことができる。また、ノズル本体４２０の移動速度を変化させるという比較的簡単な制御により、着水領域５５０の着水前端領域５５７および着水後端領域５５８に比較的長い時間洗浄水を着水させることができる。
【００６５】
図１１は、ノズルの吐水孔の軌跡のさらに他の具体例を表すグラフ図である。  
本具体例では、着水領域５５０の着水前端領域５５７および着水後端領域５５８に所定の領域５４０が移動するたびに、着水前端領域５５７および着水後端領域５５８の範囲において洗浄水の着水する所定の領域５４０が前後方向に複数回往復移動する。具体的には、例えば図１１に表したグラフ図のように、ノズル駆動部４６０は、制御部４０５からの指令に基づいて、吐水孔４１１から噴射された洗浄水が着水前端領域５５７および着水後端領域５５８に移動するたびに、着水前端領域５５７および着水後端領域５５８に着水する範囲においてノズル本体４２０を前後方向に複数回往復移動させる。
【００６６】
本具体例によれば、着水領域５５０の着水前端領域５５７および着水後端領域５５８に、ノズル本体４２０を複数回往復移動させない場合よりも多い流量の洗浄水を着水させることができる。あるいは、洗浄水の所定の領域５４０を前後方向に往復移動させて拡大させる際に、着水領域５５０の着水前端領域５５７および着水後端領域５５８に、ノズル本体４２０を複数回往復移動させない場合よりも長い時間洗浄水を着水させることができる。
【００６７】
これにより、常時着水領域５５１の前後方向に位置する着水前端領域５５７および着水後端領域５５８も洗浄していることを使用者に実感させることができる。また、満足度のより高いワイドムーブビデ洗浄を行うことができる。
【００６８】
図１２は、ノズルの吐水孔の軌跡のさらに他の具体例を表すグラフ図である。  
本具体例では、着水領域５５０の着水前端領域５５７および着水後端領域５５８において、洗浄水の所定の領域５４０の前後方向への往復移動が所定時間静止する。つまり、図５に関して前述した具体例では、洗浄水の所定の領域５４０の前後方向への往復移動は、着水領域５５０の前端および後端で所定時間静止する。これに対して、本具体例では、洗浄水の所定の領域５４０の前後方向への往復移動は、着水領域５５０の前端および後端だけに限定されず着水前端領域５５７および着水後端領域５５８の中のいずれかの位置において静止する。
【００６９】
洗浄水の所定の領域５４０の前後方向への往復移動は、図１２（ａ）に表したグラフ図のように、着水領域５５０の中央部から前端および後端へ向かう途中と、着水領域５５０の前端および後端から中央部へ向かう途中と、の両方において所定時間静止してもよい。あるいは、洗浄水の所定の領域５４０の前後方向への往復移動は、図１２（ｂ）に表したグラフ図のように、着水領域５５０の前端および後端から中央部へ向かう途中で所定時間静止してもよい。
【００７０】
本具体例によれば、図５に関して前述した具体例と同様に、常時着水領域５５１の前後方向に位置する着水前端領域５５７および着水後端領域５５８も洗浄していることを使用者に実感させることができる。また、満足度のより高いワイドムーブビデ洗浄を行うことができる。
【００７１】
図１３は、流量の具体例を例示するグラフ図である。  
なお、図１３（ａ）は、流量を段階的に変化させる場合を例示しており、図１３（ｂ）は、流量を連続的に変化させる場合を例示している。
【００７２】
本具体例では、洗浄水の所定の領域５４０の前後方向への往復移動の速度は、変化することなく略一定である。また、着水領域５５０の前端および後端に洗浄水の所定の領域５４０が到達すると、制御部４０５は、流量調整弁４８０（図２参照）を制御し、洗浄水の所定の領域５４０が着水領域５５０の中央部を移動するときよりも多い流量の洗浄水を噴射させる。あるいは、着水領域５５０の着水前端領域５５７および着水後端領域５５８を洗浄水の所定の領域５４０が移動するときに、制御部４０５は、流量調整弁４８０を制御し、洗浄水の所定の領域５４０が着水領域５５０の中央部を移動するときよりも多い流量の洗浄水を噴射させる。  
本具体例によれば、着水領域５５０の着水前端領域５５７および着水後端領域５５８に、噴射される洗浄水の流量を変化させない場合よりも多い流量の洗浄水を着水させることができる。あるいは、洗浄水の所定の領域５４０を前後方向に往復移動させて拡大させる際に、着水領域５５０の着水前端領域５５７および着水後端領域５５８に、噴射される洗浄水の流量を変化させない場合よりも長い時間洗浄水を着水させることができる。これにより、図５に関して前述した効果と同様の効果が得られる。
【００７３】
図１４は、流速の具体例を例示するグラフ図である。  
なお、図１４（ａ）は、流速を段階的に変化させる場合を例示しており、図１４（ｂ）は、流速を連続的に変化させる場合を例示している。
【００７４】
本具体例では、図１３に関して前述した具体例と同様に、洗浄水の所定の領域５４０の前後方向への往復移動の速度は、変化することなく略一定である。また、着水領域５５０の前端および後端に洗浄水の所定の領域５４０が到達すると、制御部４０５は、流量調整弁４８０を制御し、洗浄水の所定の領域５４０が着水領域５５０の中央部を移動するときよりも速い流速を有する洗浄水を噴射させる。あるいは、着水領域５５０の着水前端領域５５７および着水後端領域５５８を洗浄水の所定の領域５４０が移動するときに、制御部４０５は、流量調整弁４８０を制御し、洗浄水の所定の領域５４０が着水領域５５０の中央部を移動するときよりも速い流速を有する洗浄水を噴射させる。  
本具体例によれば、着水領域５５０の着水前端領域５５７および着水後端領域５５８に、噴射される洗浄水の流速を変化させない場合よりも速い流速を有する洗浄水を着水させることができる。あるいは、洗浄水の所定の領域５４０を前後方向に往復移動させて拡大させる際に、着水領域５５０の着水前端領域５５７および着水後端領域５５８に、噴射される洗浄水の流速を変化させない場合よりも長い時間洗浄水を着水させることができる。これにより、図５に関して前述した効果と同様の効果が得られる。
【００７５】
次に、本実施形態のノズル４１０の具体例について、図面を参照しつつ説明する。  
図１５は、本実施形態のノズルの具体例を例示する斜視模式図である。  
また、図１６は、本具体例のノズルを上方から眺めた上面模式図である。  
また、図１７は、図１６に表した切断面Ｂ−Ｂにおける断面模式図である。
【００７６】
本具体例にかかるノズル４１０は、ノズル本体４２０を有する。ノズル本体４２０の内部には、ワイド吐水用流路４２７と、スポット吐水用流路４２８と、が設けられている。ワイド吐水用流路４２７は、図１６に表したように、旋回室４２３の大径部内周壁４２３ｅの接線方向に接続されている。一方、スポット吐水用流路４２８は、図１６に表したように、旋回室４２３の軸心へ向かうように大径部内周壁４２３ｅに接続されている。その他の構造は、図４に関して前述したノズル４１０の構造と同様である。
【００７７】
ワイド吐水用流路４２７は、旋回室４２３の大径部内周壁４２３ｅの接線方向に接続されているため、ワイド吐水用流路４２７を通過して旋回室４２３へ流入した洗浄水は、大径部内周壁４２３ｅおよび傾斜内周壁４２３ｆに沿って旋回する。これは、図４に関して前述した如くである。一方、スポット吐水用流路４２８は、旋回室４２３の軸心へ向かうように大径部内周壁４２３ｅに接続されているため、スポット吐水用流路４２８を通過して旋回室４２３へ流入した洗浄水は、旋回することなく連通路４２５の一端、すなわち吐水孔４２６から噴射される。
【００７８】
そのため、本具体例のノズル４１０によれば、ワイド吐水用流路４２７のみを介して旋回室４２３へ洗浄水を流入させると、より大きな旋回力を有する中空円錐状吐水５１０を吐水孔４２６から吐水することができる。また、本具体例にかかるノズル４１０が、図４に表したスロート４３０を有する場合には、吐水孔４３３から噴射された中空円錐状吐水５１０は、粒化水流５２０へ遷移する。そのため、この場合には、使用者は、より広い範囲を一度にさっと洗浄することができる。
【００７９】
これに対して、ワイド吐水用流路４２７のみではなく、ワイド吐水用流路４２７とスポット吐水用流路４２８とを介して旋回室４２３へ洗浄水を流入させると、旋回室４２３において生ずる旋回流の旋回力は、ワイド吐水用流路４２７のみを介して旋回室４２３へ洗浄水を流入させる場合よりも低減する。これは、ワイド吐水用流路４２７から旋回室４２３へ流入した洗浄水による旋回流と、スポット吐水用流路４２８から旋回室４２３へ流入した洗浄水による直進流と、が干渉するためである。そのため、この場合には、ワイド吐水用流路４２７のみを介して旋回室４２３へ洗浄水を流入させる場合よりも小さな旋回力を有する中空円錐状吐水５１０が吐水孔４２６から噴射される。
【００８０】
また、これに対して、スポット吐水用流路４２８のみを介して旋回室４２３へ洗浄水を流入させると、直進流と液滴とを吐水孔４２６から吐水することができる。そのため、この場合には、使用者は、洗浄したい洗浄箇所を好みに応じて重点的に洗浄することができる。
【００８１】
本具体例にかかるノズル４１０によれば、使用者は、ワイド吐水用流路４２７を通過する洗浄水の流量と、スポット吐水用流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。
【００８２】
以上説明したように、本実施形態によれば、洗浄水を円錐状に拡散させつつ、ノズル本体４２０から噴射された洗浄水の所定の領域５４０を前後方向に往復移動させ拡大させて、従来よりも前後の広範囲に洗浄水を着水させるワイドムーブ洗浄を実行できる。さらに、着水領域５５０の中央部には、所定の領域５４０が前後方向に往復移動する間常に洗浄水が着水する常時着水領域５５１が存在する。そのため、ワイドムーブビデ洗浄の際に、女性局部の膣口付近において固着していない状態の経血汚れが飛び散ることを防止することができる。また、ワイドムーブビデ洗浄の間、膣口付近には洗浄水が常に着水する常時着水領域５５１が存在するため、なぞられたような感覚を与えるおそれは少ない。これにより、快適なビデ洗浄を行うことができる。
【００８３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズル４１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８４】
１０ 流路、  １００ 衛生洗浄装置、  ２００ 便座、  ３００ 便蓋、  ４００ ケーシング、  ４０４ 着座検知センサ、  ４０５ 制御部、  ４１０ ノズル、  ４１１ 吐水孔、  ４２０ ノズル本体、  ４２３ 旋回室、  ４２３ｅ 大径部内周壁、  ４２３ｆ 傾斜内周壁、  ４２４ 突設部、  ４２５ 連通路、  ４２６ 吐水孔、  ４２７ ワイド吐水用流路、  ４２８ スポット吐水用流路、  ４３０ スロート、  ４３１ スロート流路、  ４３２ テーパ部、  ４３３ 吐水孔、  ４４０ 電磁弁、  ４５０ 熱交換器、  ４６０ ノズル駆動部、  ４７０ 圧力変調装置、  ４８０ 流量調整弁、  ５１０ 中空円錐状吐水、  ５２０ 粒化水流、  ５４０、５４１、５４３、５４５ 所定の領域、  ５５０ 着水領域、  ５５１ 常時着水領域、  ５５３、５５４ 着水中間領域、  ５５７ 着水前端領域、  ５５８ 着水後端領域、  ５７１、５７３、５７５ 着水流量、  ５８１、５８７、５８８ 着水流量の積分量、  ８００ 便器、  ８０１ ボウル
【図１】
0005534213.tif 000002
【図２】
0005534213.tif 000003
【図３】
0005534213.tif 000004
【図４】
0005534213.tif 000005
【図５】
0005534213.tif 000006
【図６】
0005534213.tif 000007
【図７】
0005534213.tif 000008
【図８】
0005534213.tif 000009
【図９】
0005534213.tif 000010
【図１０】
0005534213.tif 000011
【図１１】
0005534213.tif 000012
【図１２】
0005534213.tif 000013
【図１３】
0005534213.tif 000014
【図１４】
0005534213.tif 000015
【図１５】
0005534213.tif 000016
【図１６】
0005534213.tif 000017
【図１７】
0005534213.tif 000018